(57)【要約】【課題】耳掛け部を形状を大きくすることなく強度を向上させ、デザインを損うことがなく、また、耳にフィットして装着することができ、しかも、コードがねじ切られることがない耳掛け式イヤホンを提供する。【解決手段】この発明は、耳の形状に対応して湾曲形成された耳掛け部４の端部に連結部材を介しドライバーユニットが内蔵されたイヤホン本体１が設けられてなる耳掛け式イヤホンにおいて、前記耳掛け部４を中空であって内部にコード５が挿通された金属管にて形成した。この場合、耳掛け部４は所定の範囲で任意の方向に回動自在な可動ボール１１に連結し、また、ほぼ水平方向については可動ボール１１をコードがねじ切れないよう所定の範囲で回動自在とした。【選択図】  図４
2004356818.tif 000002
【特許請求の範囲】
【請求項１】
耳の形状に対応して湾曲形成された耳掛け部（４）の端部に連結部材を介しドライバーユニットが内蔵されたイヤホン本体（１）が設けられてなる耳掛け式イヤホンにおいて、
前記耳掛け部（４）を中空であって内部にコード（５）が挿通された金属管にて形成したことを特徴とする耳掛け式イヤホン。
【請求項２】
請求項１記載において、前記耳掛け部（４）は所定の範囲で任意の方向に回動自在な可動ボール（１１）に連結されたことを特徴とする耳掛け式イヤホン。
【請求項３】
請求項２記載において、前記耳掛け部（４）と連結された可動ボール（１１）はほぼ円筒状をなすシャフトステム（９）内に一部が収納され回動自在に支持されたほぼ球状の本体（２７）を備え、この本体（２７）の外面に突起（２８）を形成し、この突起（２８）を前記シャフトステム（９）に形成された横長であって窓状の切欠き部（２５）内にほぼ水平方向に所定の範囲内で移動自在に配置したことを特徴とする耳掛け式イヤホン。
【請求項４】
請求項３記載において、前記耳掛け部（４）の端部に下方に向って延びる鍵状の係合片（１３）を形成し、前記可動ボール（１１）には上方に向って突出し前記係合片（１３）と上下方向において係合可能な鍵状の係合片（１２）を形成し、これら係合片（１２）、（１３）はほぼ円筒状をなすボールステム（８）内に収納支持されたことを特徴とする耳掛け式イヤホン。
【発明の詳細な説明】
【０００１】
【発明の属する技術分野】
この発明は、耳掛け式のイヤホン、詳しくはデザイン性を損うことなく耳掛け部分の強度を向上させるとともにフィット感を良好とした耳掛け式イヤホンに関する。
【０００２】
【従来の技術】
耳掛け式の従来のイヤホンとしては、特開平９−６５４７４が存在する。
【０００３】
図１５は上記イヤホンを示すもので、このイヤホンにおいては湾曲した耳掛け部１００は弾性部材からなり、また、イヤホン本体１０１は、耳掛け部１００の端部に設けられた中空円筒体１０２内に、矢印で示すように上下動および回動可能に挿入されたシャフト１０３に取り付けられた構成となっている。
【０００４】
また、他の従来例としては特開２００３−３２７７２が存在する。
【０００５】
図１６（ａ）はその耳掛け式イヤホンの斜視図、（ｂ）は耳掛け式イヤホン本体を耳に装着した状態を示す。
【０００６】
この耳掛け式イヤホンにおいては湾曲した耳掛け部１００’をフレキシブルな構造とし、使用にあたっては、耳１０４の形状に合わせて湾曲自在とし、かつイヤホン本体１０１を耳１０４の耳甲介腔に挿入するように構成している。
【０００７】
【発明が解決しようとする課題】
上記各従来例では耳掛け部１００、１００’は弾性部材にて構成したために強度的に弱い、という欠点があり、それを解決するために強度を増す構造にすると、図１５の従来例のように、形状が大きくなってしまい、デザインを損う、という課題があった。
【０００８】
また、図１５に示した従来例ではイヤホン本体１０１は３６０度の範囲で回動自在のため、コード１０５が切れてしまう、という課題もあった。
【０００９】
図１６に示した従来例では、イヤホン本体１０１は耳掛け部１００’の先端部に固定状態で設けられているため、コード１０５が切れることはない。しかしながら、この従来例ではフレキシブル構造の耳掛け部１００’の湾曲度を調整して耳甲介腔に挿入するようにしているため、挿入しずらかったり、フィット感が悪い、という課題があった。
【００１０】
この発明は上記のことに鑑み提案されたもので、その目的とするところは、耳掛け部の形状を大きくすることなく強度を向上させ、デザイン的に良好であり、また、いろいろな大きさや形の耳にフィットして装着することができ、しかも、コードがねじ切られることがない耳掛け式イヤホンを提供することにある。
【００１１】
【課題を解決するための手段】
この発明は上記目的を達成するために、耳の形状に対応して湾曲形成された耳掛け部４の端部に連結部材を介しドライバーユニットが内蔵されたイヤホン本体１が設けられてなる耳掛け式イヤホンにおいて、前記耳掛け部４を中空であって内部にコード５が挿通された金属管にて構成している。
【００１２】
また、耳掛け部４は所定の範囲で任意の方向に回動自在な可動ボール１１に連結し、任意の方向に動かすことができるようにしている。
【００１３】
さらに、耳掛け部４と連結された可動ボール１１はほぼ円筒状をなすシャフトステム９内に一部が収納され、かつ回動自在に支持されたほぼ球状の本体２７を備え、この本体２７の外面に突起２８を形成し、この突起２８を前記シャフトステム９に形成された横長であって窓状の切欠き部２５内にほぼ水平方向に所定の範囲内で移動自在に配置した構成としている。
【００１４】
また、耳掛け部４の端部に下方に向って延びる鍵状の係合片１３を形成し、前記可動ボール１１には上方に向って突出し前記係合片１３と上下方向において係合可能な鍵状の係合片１２を形成し、これら係合片１２、１３はほぼ円筒状をなすボールステム８内に収納支持した構成としている。
【００１５】
【発明の実施の形態】
以下、図面に沿って本発明を説明する。
【００１６】
図１は本発明の一実施例の外観斜視図、図２は分解斜視図、図３は要部の一部分の拡大分解斜視図、図４は組立状態の縦断面図である。
【００１７】
これらの図において、１は耳の耳甲介腔部分に挿入可能な周知構造のドライバーユニットが内蔵されたイヤホン本体であり、このイヤホン本体１にはほぼ円筒状のアーム２の一端が設けられ、このアーム２の他端はジョイントケース３に所定の範囲で回動自在に連結されている。
【００１８】
４はメガネのつるの耳掛け部のように予め耳の形状に対応して湾曲形成されたボウパイプからなる耳掛け部である。この耳掛け部４は、図１に示すように、直線部４ａと、耳の形状に沿って湾曲された湾曲部４ｂと、耳たぶ背部例に沿い、かつその下方に延びるブッシュ取付部４ｃとからなる湾曲形状に形成されている。この耳掛け部４はアルミニウムのような中空の金属管からなり、金属製としたため、十分な強度を有し、かつ中空の内部にコード５が挿通される。なお、外表面には耳の保護、フィット感を出すために柔軟なチューブボウ６が被せられる。コード５の一端は、耳掛け部４の先端側から引き出され、上記イヤホン本体１のドライバーユニットに接続され、他端はブッシュ取付部４Ｃ側から外部に引き出される。
【００１９】
イヤホン本体１に連結されたアーム２の他端は、図１、図２および図４に示すように、ほぼ円形状のジョイントケース３内に収められている。このジョイントケース３と耳掛け部４との間には、ほぼ円筒状のアウターステム７、このアウターステム７の上端部においてアウターステム７に対し所定の範囲内で可動自在に連結されたほぼ円筒状のボールステム８等の連結部材が設けられている。
【００２０】
アウターステム７はジョイントケース３側に位置し、ボールステム８はその上方の耳掛け部８側に位置している。
【００２１】
ジョイントケース３と連結されたアウターステム７の内部には、図２〜図４等に示すように、シャフトステム９、ラバーボール１０、可動ボール１１等が収められる。
【００２２】
上側のボールステム８の内部には、可動ボール１１の上部に一体形成され、耳掛け部４と連結可能な係合片１２と、耳掛け部４の下端に形成され、可動ボール１１側と連結可能な係合片１３が互いに係合された状態で収納支持される。
【００２３】
次に、上記した各パーツについて説明する。
【００２４】
ジョイントケース３は、詳しくは図４に示すように、下方部の本体１４の側面はほぼ円形をなし、外周面の一部に窓１５が形成され、この窓１５からアーム２が突出し、かつ本体１４の内部は中空となっており、その中央部には支軸１６が突設され、この支軸１６にアーム２の他端に形成されたほぼリング状の連結部１７が枢着されている。
【００２５】
連結部１７が支軸１６に回動自在に連結されたアーム２は窓１５の上縁および下縁に当接可能であって水平位置に対し上下にそれぞれ約１６度の範囲で回動自在になっている。
【００２６】
また、ジョイントケース３の本体１４の上部には中央部にコード線挿通孔１７’が形成された隔壁１８が形成され、その周囲には上方に向って延びるほぼ円筒形をなす周壁状のアウターステム取付部１９が一体形成されている。
【００２７】
アウターステム取付部１９の外周部にはネジ部２０が形成され，ネジ部２０の下端には段部２１が形成されている。
【００２８】
アウターステム取付部１９の内側は中空状をなし、シャフトステム９の下方部２２が挿入される。このシャフトステム９は、全体としてほぼ円筒状をなし、詳しくは、図５に示すように、上方部分に比べ、小径の下方部２２と、これより大径に形成された上方部２３とにて形成されている。ほぼ円筒状をなす下方部２２はアウターステム取付部１９内に挿入されるが、この下方部２２には挿入部に対し所定の向きに挿入し、かつ挿入後は回転を防止するために、そのほぼ中央部から下部にかけての半部は切欠かれ、切欠き部２４が形成され、アウターステム取付部１９の隔壁１８および内周壁の内面等の形状もこれに対応し、図４に示すように、凹凸状に形成されている。
【００２９】
シャフトステム９の上方部２３は、図４に示すように、下方部２２に比べ肉薄になっており、その内部の空間部分にラバーボール１０が挿入される。また、シャフトステム９の上方部２３には、図２〜図４、詳しくは図５に示すように、周方向に延びる横長であって窓状の切欠き部２５が形成されている。
【００３０】
ラバーボール１０は、詳しくは図６に示すように、フッ素ゴムまたはシリコンゴム等をほぼ円筒状に成形した弾性体からなり、底部に突起状の載置部２６が形成され、この載置部２６がシャフトステム上方部２３の底部上に配置される。
【００３１】
ラバーボール１０の上部には、図３、図４に示すように、耳掛け部４と連結される回動可能な可動ボール１１の底部が配置される。この可動ボール１１は、詳しくは図７（ａ）、（ｂ）に示すように、ほぼ球状をなす本体２７を有し、その外周面の一方の側のほぼ中央部に突起２８が形成され、この突起２８は、図４、図５に示すように、シャフトステム９の横長の切欠部２５内に位置する。そして、この切欠部２５の横方向の寸法Ｌによって可動ボール１１のほぼ水平方向の回動範囲が設定されている。すなわち、可動ボール１１の突起２８が切欠き部２５の左右の端部に当接する範囲で、図１および図４等に示すように、可動ボール１１はほぼ水平方向に約６５度の範囲で回動するようになっている。
【００３２】
可動ボール１１の本体２７内には軸方向に貫通したコード挿入孔２９が形成され、かつ上部にはほぼ円筒状の連結部３０が一体形成されている。
【００３３】
この連結部３０の軸方向中央にも耳掛け部４のコード挿入孔と連通するコード挿入孔２９が連設されている。また、この連結部３０のほぼ中央部にはやや肉厚のフランジ部３１が外側に向って形成され、かつその外周にはネジ部３２が形成され、ネジ部３２の下部は外形がフランジ部３１より小径の首部３３となっている。また、この連結部３０の上方には耳掛け部４との接続部が形成されている。
【００３４】
すなわち、この連結部３０の上部は一部が切除され開口部３４が形成され、この開口部３４の上方部両側には外側方向に突出する一対の鍵状の係合片１２が突起２８と同方向に突設されている。この係合片１２は、図２、図４および図８に示すように、耳掛け部４の下端部に同じく形成された一対の鍵状の係合片１３と係合可能となっており、両者を上下方向において互い違いに噛み合わせるように係合させることにより両者を一体化でき、耳掛け部４の抜けを防止できるように構成されている。
【００３５】
すなわち、耳掛け部４の下方部には可動ボール１１の上方部に形成された連結部３０の係合片１２を受容する凹所３５が形成されている。一方、可動ボール１１の連結部３０の上部にも耳掛け部４側の係合片１３を受容する凹所３６が形成され、これらを介し各係合片１２、１３相互を上下方向において係合できるように構成されている。
【００３６】
なお、可動ボール１１の本体２７の部分、ラバーボール１０およびシャフトステム９はアウターステム７内に収納され、可動ボール１１の連結部３０および係合片１２ならびに耳掛け部４の下方部の係合片１３は、ボールステム８内に収納される。
【００３７】
アウターステム７は、図１、図２、図４等に示すように、ほぼ円筒状をなし、内周面下方にはジョイントケース３のアウターステム取付部１９の外周に形成されたネジ部２０と螺合可能なネジ部３７が形成されている。また、その上方部の内周面はシャフトステム９の大径の上方部２３の外周面と当接する。さらに、その上部には可動ボール１１との当接部３８が形成され、かつアウターステム７の頂部は弧状に湾曲形成され、中央には開口部３９が形成され、この開口部３９から可動ボール１１の首部３３が外部に突出している。
【００３８】
この場合、当接部３８の内面はほぼ球状をなす可動ボール１１の本体２７の外形とほぼ対応して孤状に形成され、かつ開口部３９の内周壁はその内径が下部から上部に向って拡径するテーパ状に形成され、可動ボール１１がその本体２７を中心として回動した場合、この開口部３９の内周壁に可動ボール１１の首部３３が当接し、可動ボール１１の傾動範囲が設定される。
【００３９】
すなわち、可動ボール１１はラバーボール１０、シャフトステム９等を介し回転可能であって連結部３０側は任意の方向に傾動可能となっており、図９に示すように、ボールステム８を矢印ａ方向に傾けると、首部３３が傾け方向と反対側の開口部３９の内周壁の一方の側に当接し、傾動が停止し、図１０に示すように、逆に矢印ｂ方向に傾ければ、内周壁の他方の側に当接し、この範囲内で任意の方向に所定の角度で傾動させることができる。この可動範囲は、アウターステム７が垂直位置に立設しているとした場合、任意の方向に約１５度傾動可能に構成されている。
【００４０】
この場合、ボールステム８内において耳掛け部４は可動ボール１１と連結されているため、耳掛け部４も傾動する。
【００４１】
このボールステム８もほぼ円筒状をなし、下部はアウターステム７の上部の湾曲形状に対応して孤状に形成され、アウターステム７の頂部の湾曲形状に沿って可動しやすい形状となっている。また、内周面には可動ボール１１の連結部３０の外周に形成されたフランジ部３１の上端と当接する段部４０が形成され、ボールステム８をアウターステム７上に組み込んだ場合、フランジ部３１の上端が位置決め兼ストッパー部材として機能し、所定の位置に組み込むことができるようになっている。また、ボールステム８の上部に開口部４１が形成され、この開口部４１内に耳掛け部４の下端部が挿入される。また、耳掛け部４の外周に被覆される柔軟な材質からなるチューブボウ６も収納される。また、ボールステム８内部の中空部分において耳掛け部４の下端部および可動ボール１１の連結部３０の上方とが各係合片１３、１２を介し係合され、一体化される。
【００４２】
なお、図９〜図１１に示すように、チューブボウ６が被覆された耳掛け部４の他端部には、ブッシング４２が取付けられる。このブッシング４２の一端部は段状に形成され、このブッシング４２をこれと対応して段状に形成されたリングブッシング４３の他端部に取付け、このリングブッシング４３を耳掛け部４の他端部に取付け固定する。
【００４３】
この場合、ブッシング４２が抜け出るのを防止している引っ掛け部の量が少ないと抜けてしまうが、耳掛け部４の他端部がブッシング４２のリングブッシング４３との取付け部より奥の所まで差し入れる構造にしたことにより、ブッシング４２の抜脱を防止している。
【００４４】
図１２〜図１４はジョイントケース３を中心として耳掛け部４やイヤホン本体１の可動状態を示す説明である。図１２は正面図、図１３は側面図、図１４は平面図であり、これらの各図において仮想線が可動状態を示す。
【００４５】
組立てに際し、その準備段階として、まず、リングブッシング４３にブッシング４２を取り付け、組立体Ａを構成する。
【００４６】
次に、ジョイントケース３にシャフトステム９を入れ、このシャフトステム９に弾性体からなるラバーボール１０を入れ、その上に可動ボール１１の本体２７の底部を置いて上からアウターステム７を被せジョイントケース３にねじ込み固定し、組立体Ｂを構成する。この場合、ラバーボール１０は可動ボール１１の本体２７の底部と当接し、適度に圧縮され、可動ボール１１が回動した際に適度な制動力を与える。
【００４７】
この組立時に、アウターステム７とジョイントケース３のネジ部２０、３７はゆるまないように接着剤を用いて固定する。また、アウターステム７とシャフトステム９の接触部も接着剤にて固定する。可動ボール１１とラバーボール１０、可動ボール１１とアウターステム７の接触部は可動部のため、グリースを塗布する。
【００４８】
組立にあたっては、コード５に、ブッシング４２が取付けられたリングブッシング４３を通し、また、チューブボウ６、耳掛け部４、ボールステム８、上記組立体Ｂを通す。
【００４９】
次に、耳掛け部４側の係合片１３と可動ボール１１側の係合片１２とを合わせ、ボールステム８を可動ボール１１に各ネジ部３２等を介しねじ込み固定する。この際、ゆるまないように接着剤で固定する。また、耳掛け部４と可動ボール１１の合わせ部と、これが納まるボールステム８の部分も接着剤にて固定する。
【００５０】
次に、耳掛け部４にチューブボウ６を通す。
【００５１】
また、耳掛け部４に組立体Ａのリングブッシング４３を固定用の接着剤を用いつつねじ込み固定する。
【００５２】
また、別途、イヤホン本体１を組み立て、アーム２を組み込むなどするが、この組立工程は適宜の段階で行えば良い。
【００５３】
【発明の効果】
以上のように請求項１記載によれば、耳掛けタイプのイヤホンにおいて、耳掛け部４を内部が中空でコード５に挿通される金属製のボウパイプにて形成したために、デザインを損うことなしに十分な強度を得ることができ、また、耳掛け部４にコード５を挿通してイヤホン本体１内のドライバーユニットにコード５を接続することができる。
【００５４】
請求項２記載によれば、耳掛け部４を任意の方向に回動可能な可動ボール１１に連結したため、各個人個人の耳形状の個体差に対応して耳掛け部４を所望の位置にセットでき、フィットして装着することができる。
【００５５】
請求項３記載によれば、耳掛け部４はほぼ水平方向に所定の範囲内の動きをなす可動ボール１１に連結したため、耳掛け部４も必要な範囲内でしか動くことがないので、コード５がねじ切られることがない。
【００５６】
請求項４記載によれば、耳掛け部４の端部に形成した係合片１３と、可動ボール１１側に形成した係合片１２とを上下方向において係合させ、それらをボールステム８内に配したため、耳掛け部４を抜け方向と回転方向に対し固定することができ、かつ外側にボールステム８があるため、係合が外れることもない。
【図面の簡単な説明】
【図１】本発明の一実施例の正面図を示す。
【図２】同上の分解斜視図を示す。
【図３】同上の要部の一部組立斜視図を示す。
【図４】本発明の一実施例の組立状態の縦断面図を示す。
【図５】本発明の一実施例に用いられるシャフトステムの側面図を示す。
【図６】本発明の一実施例に用いられるラバーボールの縦断面図を示す。
【図７】（ａ）は本発明の一実施例に用いられる可動ボールの正面縦断面図、（ｂ）は側面図を示す。
【図８】本発明の一実施例における耳掛け部と可動ボールの連結部とを係合させる状態説明図を示す。
【図９】本発明の一実施例における耳掛け部の可動状態の説明図を示す。
【図１０】同じく本発明の一実施例における耳掛け部の可動状態の説明図を示す。
【図１１】本発明の一実施例の組立状態の縦断面図を示す。
【図１２】本発明の一実施例の動作状態を示す正面図を示す。
【図１３】本発明の一実施例の動作状態を示す側面図を示す。
【図１４】本発明の一実施例の動作状態を示す平面図を示す。
【図１５】一従来例の説明図を示す。
【図１６】（ａ）は他の従来例の斜視図、（ｂ）はその装着状態の斜視図を示す。
【符号の説明】
１    イヤホン本体
２    アーム
３    ジョイントケース
４    耳掛け部
５    コード
６    チューブボウ
７    アウターステム
８    ボールステム
９    シャフトステム
１０    ラバーボール
１１    可動ボール
１２    係合片
１３    係合片
１４    ジョイントケース本体
１５    窓
１６    支軸
１７    連結部
１７’    コード線挿通孔
１８    隔壁
１９    アウターステム取付部
２０    ネジ部
２１    段部
２２    シャフトステム下方部
２３    シャフトステム上方部
２４    シャフトステム下方部の切欠き部
２５    切欠き部
２６    ラバーボール載置部
２７    可動ボール本体
２８    突起
２９    コード挿入孔
３０    連結部
３１    肉厚フランジ部
３２    ネジ部
３３    首部
３４    開口部
３５    凹所
３６    凹所
３７    ネジ部
３８    当接部
３９    開口部
４０    段部
４１    ボールステム開口部
【図１】
2004356818.tif 000003
【図２】
2004356818.tif 000004
【図３】
2004356818.tif 000005
【図４】
2004356818.tif 000006
【図５】
2004356818.tif 000007
【図６】
2004356818.tif 000008
【図７】
2004356818.tif 000009
【図８】
2004356818.tif 000010
【図９】
2004356818.tif 000011
【図１０】
2004356818.tif 000012
【図１１】
2004356818.tif 000013
【図１２】
2004356818.tif 000014
【図１３】
2004356818.tif 000015
【図１４】
2004356818.tif 000016
【図１５】
2004356818.tif 000017
【図１６】
2004356818.tif 000018